(57)【要約】      （修正有）【課題】薬剤装置を追跡する移動装置のユーザインターフェース上に情報を表示する方法を提供する。【解決手段】少なくとも１つの機械可読記憶媒体と通信する少なくとも１つプロセッサを含む移動装置２２０のユーザインターフェース上にアプリケーションナビゲーションバーを表示し、前記アプリケーションナビゲーションバーは手引きボタンを含む。前記移動装置のユーザから前記手引きボタンの選択を受信することに応じて、前記少なくとも１つの機械可読記憶媒体に記憶されている情報にアクセスするステップと、前記情報に少なくとも部分的に基づいて前記ユーザインターフェース上に手引きペインを表示し、前記手引きペインは薬剤装置１００をどのように使用すべきかに関する情報を含む。【選択図】図２
2018198940.tif 000002
【特許請求の範囲】
【請求項１】
移動装置により薬剤装置の状態を追跡する方法であって、
前記移動装置により、薬剤装置に関する情報を受信するステップであって、前記情報は位置情報及び有効期限情報を含むステップと、
前記移動装置の現在地を決定するステップと、
前記現在地と前記位置情報との比較に基づいて、前記薬剤装置が前記移動装置から既定の距離内に有ることを決定するステップと、
受信した有効期限情報に基づいて、前記薬剤装置が有効期限イベントに現在関係付けられていることを決定するステップと、
前記移動装置のユーザに、複数の異なるアプリケーションからの通知を出力するように構成される前記移動装置のオペレーティングシステム要素を介して、前記薬剤装置が前記移動装置から既定の距離内に有ること及び前記薬剤装置が有効期限イベントに現在関係付けられていることを決定することに応じて、前記有効期限イベントを示す有効期限アラームを出力するステップと、
前記ユーザから、地理領域の地図を表示する要求を受信するステップと、
前記移動装置により及び非オペレーティングシステムアプリケーションを介して、前記地理領域の地図を表示するステップと、
前記地図上にアラートアイコンを表示するステップであって、前記地図上の前記アイコンの位置は受信した位置情報に基づくステップと
を含む、方法。
【請求項２】
前記移動装置は、前記薬剤装置及び前記薬剤装置の包装の少なくとも１つから情報を光学的に読み取ることによって、前記薬剤装置に関する情報を受信する、請求項１に記載の方法。
【請求項３】
前記移動装置は、前記薬剤装置及び前記薬剤装置の包装の少なくとも１つと無線通信することによって、前記薬剤装置に関する情報を受信する、請求項１に記載の方法。
【請求項４】
前記有効期限情報は有効期限日であり、前記有効期限イベントは、前記薬剤装置の過去の有効期限及び現在の日付から既定の時間内である前記薬剤装置の将来の有効期限を含む、請求項１に記載の方法。
【請求項５】
前記移動装置は、通信ネットワークを介して前記薬剤装置から前記位置情報を受信し、それによって前記移動装置は、前記薬剤装置が前記移動装置から離れた位置に有るときに前記薬剤装置から前記位置情報を受信することが可能である、請求項１に記載の方法。
【請求項６】
前記移動装置により、通信ネットワークを介して、第２の薬剤装置が活性化されたことを示す活性化指示を受信するステップと、
前記活性化指示に基づいて前記ユーザに活性化アラートを出力するステップと
を更に含む、請求項１に記載の方法。
【請求項７】
前記第２の薬剤装置と前記移動装置との間の距離を推定するために、無線通信を使用して第２の薬剤装置に周期的にポーリングするステップと、
推定された距離に基づいて、前記第２の薬剤装置が既定の許容距離よりも前記移動装置から離れていることを決定するステップと、
前記第２の薬剤装置が前記既定の許容距離よりも前記移動装置から離れているとの決定に応じて、装置紛失アラームを出力するステップと
を更に含む、請求項１に記載の方法。
【請求項８】
移動装置により薬剤装置の状態を追跡するための移動装置であって、
通信インターフェースと、
メモリと、
前記通信インターフェース及び前記メモリと通信するプロセッサであって、
薬剤装置に関する情報を受信することであって、前記情報は位置情報及び有効期限情報を含むこと、
前記移動装置の現在地を決定すること、
前記現在地と前記位置情報との比較に基づいて、前記薬剤装置が前記移動装置から既定の距離内に有ることを決定すること、
受信した有効期限情報に基づいて、前記薬剤装置が有効期限イベントに現在関係付けられていることを決定すること、
前記移動装置のユーザに、複数の異なるアプリケーションからの通知を出力するように構成されるオペレーティングシステム要素を介して、前記薬剤装置が前記移動装置から既定の距離内に有ること及び前記薬剤装置が有効期限イベントに現在関係付けられていることを決定することに応じて、前記有効期限イベントを示す有効期限アラームを出力すること、
前記ユーザから、地理領域の地図を表示する要求を受信すること、
非オペレーティングシステムアプリケーションを介して、前記地理領域の地図を表示すること、及び
前記地図上にアラートアイコンを表示することであって、前記地図上の前記アイコンの位置は受信した位置情報に基づくこと
を行うように構成されるプロセッサと
を備える、移動装置。
【請求項９】
前記薬剤装置に関する情報を受信する際に、前記プロセッサは、前記薬剤装置及び前記薬剤装置の包装の少なくとも１つから前記情報を光学的に読み取るように構成される、請求項８に記載の移動装置。
【請求項１０】
前記薬剤装置に関する情報を受信する際に、前記プロセッサは、前記薬剤装置及び前記薬剤装置の包装の少なくとも１つと無線通信するように構成される、請求項８に記載の移動装置。
【請求項１１】
前記有効期限情報は有効期限日であり、前記有効期限イベントは、前記薬剤装置の過去の有効期限及び現在の日付から既定の時間内である前記薬剤装置の将来の有効期限を含む、請求項８に記載の移動装置。
【請求項１２】
前記位置情報を受信する際に、前記プロセッサは、通信ネットワークを介して前記薬剤装置から前記位置情報を受信するように構成され、それによって前記移動装置は、前記薬剤装置が前記移動装置から離れた位置に有るときに前記薬剤装置から前記位置情報を受信することが可能である、請求項８に記載の移動装置。
【請求項１３】
前記プロセッサは、
前記移動装置により、通信ネットワークを介して、第２の薬剤装置が活性化されたことを示す活性化指示を受信し、
前記活性化指示に基づいて前記ユーザに活性化アラートを出力する
ように更に構成される、請求項８に記載の移動装置。
【請求項１４】
薬剤装置の状態を追跡するために移動装置により実行される命令が符号化された非一時的な機械可読記憶媒体であって、
前記移動装置により、薬剤装置に関する情報を受信する命令であって、前記情報は位置情報及び有効期限情報を含む命令と、
前記移動装置の現在地を決定する命令と、
前記現在地と前記位置情報との比較に基づいて、前記薬剤装置が前記移動装置から既定の距離内に有ることを決定する命令と、
受信した有効期限情報に基づいて、薬剤装置が有効期限イベントに現在関係付けられていることを決定する命令と、
前記移動装置のユーザに、複数の異なるアプリケーションからの通知を出力するように構成される前記移動装置のオペレーティングシステム要素を介して、前記薬剤装置が前記移動装置から既定の距離内に有ること及び前記薬剤装置が有効期限イベントに現在関係付けられていることを決定することに応じて、前記有効期限イベントを示す有効期限アラームを出力する命令と、
前記ユーザから、地理領域の地図を表示する要求を受信する命令と、
前記移動装置により及び非オペレーティングシステムアプリケーションを介して、前記地理領域の地図を表示する命令と、
前記地図上にアラートアイコンを表示する命令であって、前記地図上の前記アイコンの位置は受信した位置情報に基づく命令と
を含む、非一時的な機械可読記憶媒体。
【請求項１５】
前記薬剤装置に関する情報を受信する命令は、前記薬剤装置及び前記薬剤装置の包装の少なくとも１つから前記情報を光学的に読み取る命令を含む、請求項１４に記載の非一時的な機械可読記憶媒体。
【請求項１６】
前記薬剤装置に関する情報を受信する命令は、前記薬剤装置及び前記薬剤装置の包装の少なくとも１つと無線通信する命令を含む、請求項１４に記載の非一時的な機械可読記憶媒体。
【請求項１７】
前記有効期限情報は有効期限日であり、前記有効期限イベントは、前記薬剤装置の過去の有効期限及び現在の日付から既定の時間内である前記薬剤装置の将来の有効期限を含む、請求項１４に記載の非一時的な機械可読記憶媒体。
【請求項１８】
前記位置情報を受信する命令は、通信ネットワークを介して前記薬剤装置から位置情報を受信する命令を含み、それによって前記移動装置は、前記薬剤装置が前記移動装置から離れた位置に有るときに前記薬剤装置から前記位置情報を受信することが可能である、請求項１４に記載の非一時的な機械可読記憶媒体。
【請求項１９】
前記移動装置により、通信ネットワークを介して、第２の薬剤装置が活性化されたことを示す活性化指示を受信する命令と、
前記活性化指示に基づいて前記ユーザに活性化アラートを出力する命令と
を更に含む、請求項１４に記載の非一時的な機械可読記憶媒体。
【請求項２０】
前記第２の薬剤装置と前記移動装置との間の距離を推定するために、無線通信を使用して第２の薬剤装置に周期的にポーリングする命令と、
推定された距離に基づいて、前記第２の薬剤装置が既定の許容距離よりも前記移動装置から離れていることを決定する命令と、
前記第２の薬剤装置が前記既定の許容距離よりも前記移動装置から離れているとの決定に応じて、装置紛失アラームを出力する命令と
を更に含む、請求項１４に記載の非一時的な機械可読記憶媒体。
【請求項２１】
薬剤装置を追跡する移動装置のユーザインターフェース上に情報を表示する方法であって、
少なくとも１つの機械可読記憶媒体と通信する少なくとも１つプロセッサを含む前記移動装置により実装されるときに、
前記移動装置の前記ユーザインターフェース上にアプリケーションナビゲーションバーを表示するステップであって、前記アプリケーションナビゲーションバーは手引きボタンを含むステップと、
前記移動装置のユーザから前記手引きボタンの選択を受信することに応じて、前記少なくとも１つの機械可読記憶媒体に記憶されている第１の情報にアクセスするステップと、
前記第１の情報に少なくとも部分的に基づいて前記ユーザインターフェース上に手引きペインを表示するステップであって、前記手引きペインは前記薬剤装置をどのように使用すべきかに関する情報を含むステップと
を含む、方法。
【請求項２２】
前記薬剤装置をどのように使用すべきかに関する情報は、前記移動装置のユーザに前記薬剤装置の投与を指導する少なくとも１つの埋め込み映像を含む、請求項２１に記載の方法。
【請求項２３】
前記第１の情報にアクセスすることに応じて、前記薬剤装置に関する安全情報又は前記薬剤装置の投与に関する安全情報の少なくとも１つを含む情報ペインを前記ユーザインターフェース上に表示するステップを更に含む、請求項２１に記載の方法。
【請求項２４】
前記ユーザインターフェースの前記アプリケーションナビゲーションバーに追跡ボタンを表示するステップと、
前記移動装置のユーザから前記追跡ボタンの選択を受信することに応じて、前記少なくとも１つの機械可読記憶媒体に記憶されている第２の情報にアクセスするステップと、
前記第２の情報に少なくとも部分的に基づいて前記ユーザインターフェース上の追跡ペインを表示するステップであって、前記追跡ペインは前記移動装置のユーザにより選択可能な少なくとも１つボタンを含むステップと
を更に含み、
前記少なくとも１つボタンは、前記薬剤装置の状態を要求するための第１のボタンを含む、請求項２１に記載の方法。
【請求項２５】
前記薬剤装置の状態を要求することは、前記薬剤装置の位置情報を要求することを含む、請求項２４に記載の方法。
【請求項２６】
前記少なくとも１つボタンは、前記薬剤装置の１人以上のユーザに関するアレルゲン情報を検討、更新又は共有するためのメニューにアクセスする第２のボタンを含む、請求項２４に記載の方法。
【請求項２７】
前記移動装置のユーザから前記第１のボタンの選択を受信することに応じて、前記少なくとも１つの機械可読記憶媒体に記憶されている第３の情報にアクセスするステップと、
前記薬剤装置が位置している地理領域の地図を表示して、前記第３の情報に少なくとも部分的に基づいて、表示された地図上にマーカーを表示するステップであって、前記マーカーは前記薬剤装置の位置を示すステップと
を更に含む、請求項２５に記載の方法。
【請求項２８】
前記ユーザインターフェース上にフィルタセレクタを表示するステップであって、前記フィルタセレクタは前記移動装置のユーザが前記薬剤装置の１人以上のユーザに関係付けられる１つ以上のプロファイルを選択することを可能にするステップと、
前記移動装置のユーザから前記１つ以上のプロファイルの１つ以上の選択を受信することに応じて、前記ユーザインターフェース上に薬剤装置リストを表示するステップであって、前記薬剤装置リストは選択された１つ以上のプロファイルに関係付けられる追跡される薬剤装置の概要を含むステップと
を更に含む、請求項２７に記載の方法。
【請求項２９】
前記移動装置は、前記少なくとも１つの機械可読記憶媒体を含む、請求項２１に記載の方法。
【請求項３０】
前記移動装置はサーバと無線通信するように構成され、前記サーバは前記少なくとも１つの機械可読記憶媒体を含む、請求項２１に記載の方法。
【請求項３１】
実行されると移動装置のプロセッサに、
前記移動装置のユーザインターフェース上にアプリケーションナビゲーションバーを表示することであって、前記アプリケーションナビゲーションバーは手引きボタンを含むこと、
前記移動装置のユーザから前記手引きボタンの選択を受信することに応じて、少なくとも１つ機械可読記憶媒体に記憶されている第１の情報にアクセスすること、及び
前記第１の情報に少なくとも部分的に基づいて前記ユーザインターフェース上に手引きペインを表示することであって、前記手引きペインは薬剤装置をどのように使用すべきかに関する情報を含むこと
を行わせる命令が記憶されている、非一時的な機械可読記憶媒体。
【発明の詳細な説明】
【技術分野】
【０００１】
本明細書に開示の様々な例示の実施形態は、一般に、薬剤の投与に関する。
【背景技術】
【０００２】
アナフィラキシーを生じ得る重度のアレルギー等の病状に苦しんでいる人もいる。アナフィラキシーは、エピネフリンの投与によって治療される場合がある。患者は、突然のアナフィラキシーを治療するためにエピネフリンの自己注射器を処方される場合がある。
【０００３】
しかしながら、アナフィラキシーは、死亡又は他の合併症を防ぐためにできるだけ早くエピネフリン又は他の薬物を投与するべきである緊急事態に至ることが多い。従って、アナフィラキシーを治療するために自己注射器を適切に使用することが重要である。アナフィラキシーに至ることがある病状を有する患者は、薬物療法を行うのに不慣れである場合が多い。また、自己注射器の使用は一部の患者にとっては脅威であリ得る。更に、治療を必要とする緊急事態は、予想しない時に、又は医者若しくは薬剤師から自己注射器及び使用の指導を受けてから相当な時間の経過後に生じる場合がある。加えて、自己注射器の必要性が生じる時が予想できないために、薬剤は、自己注射器を使用する前に有効期限が切れる場合があり、従って、緊急事態においてアナフィラキシーを効果的に治療できない場合がある。
【発明の概要】
【０００４】
エピネフリン及び他の薬物の投与における様々な緊急対策の現在の必要性の観点から、様々な例示の実施形態の概要が提示される。以下の概要では何らかの簡略化及び省略が行われる場合があり、これは様々な例示の実施形態の一部の態様を強調して紹介することを意図しており、本発明の範囲を限定することを意図していない。当業者が本発明の概念を構想し且つ使用することを可能にするために、適切な好ましい例示の実施形態の詳細な説明が後節で続けられる。
【０００５】
様々な例示の実施形態は、緊急薬剤装置を使用する方法に関する。方法は、移動装置を使用して薬剤装置からＩＤタグを読み取るステップ、ＩＤタグに基づいて薬剤装置を使用するための指導を自動的に要求するステップ、及び移動装置のユーザに映像を表示するステップを含み、映像は薬剤装置の認可ラベルに従って薬剤装置を使用するための指導を提供する。
【０００６】
様々な実施形態において、ＩＤタグはクイックレスポンス（ＱＲ）コードである。
【０００７】
様々な実施形態において、方法は、薬剤装置から有効期限日を含む製品情報を読み取るステップ、アプリケーションサーバに製品情報を送信するステップ、及び薬剤装置の有効期限日に関する通知をアプリケーションサーバから受信するステップを更に含む。有効期限日を読み取るステップは、薬剤装置上に印刷された有効期限日の写真を撮ること、及び印刷された有効期限日の文字を認識することを含んでもよい。製品情報はロット番号を更に含んでもよく、方法は、ロット番号に基づいて薬剤装置のリコールに関する通知を受信するステップを更に含んでもよい。
【０００８】
様々な実施形態において、映像は、リモートアプリケーションサーバからストリーミングされる。
【０００９】
様々な実施形態において、方法は、薬剤装置が使用されたことの指示を受信するステップ、及び緊急サービスに位置情報を提供するステップを更に含む。
【００１０】
様々な実施形態において、方法は、アプリケーションサーバに登録情報を送信するステップであって、登録情報は位置情報を追跡する要求を含むステップ、位置情報を含む登録された薬剤装置に関する薬剤装置情報を受信するステップ、及び登録された薬剤装置情報を含む地図を表示するステップを更に含む。
【００１１】
様々な例示の実施形態は、アナフィラキシーを治療するための薬物の量を保存するように構成される容器、患者に薬物を投与するための投与コンポーネント、薬剤装置情報を記憶するメモリに通信可能に接続されるプロセッサ、及び別の装置により読み取られるように構成される識別タグであって、薬剤装置を使用するための指導の識別を含む薬剤装置情報を提供する識別タグを含む電子薬剤装置に関する。
【００１２】
様々な実施形態において、電子薬剤装置はディスプレイ装置を含み、プロセッサは、ディスプレイ装置を介して、薬物の量に関係付けられる有効期限日が過ぎたときにアラートを表示するように構成される。
【００１３】
様々な実施形態において、プロセッサは、薬物を投与するための指導音声を再生するように構成される。
【００１４】
様々な実施形態において、プロセッサは、投与コンポーネントにより投与される薬物の量を制御するように構成される。
【００１５】
様々な実施形態において、投与コンポーネントは自己注射器である。
【００１６】
様々な実施形態において、電子薬剤装置は通信インターフェースを更に含み、プロセッサはイベントの発生に応じて通信インターフェースを介して少なくとも１つリモートシステムと通信するように構成され、イベントは薬物の投与及び薬物の有効期限の少なくとも１つを含む。
【００１７】
様々な実施形態において、電子薬剤装置は、薬物の現在温度を決定するように構成される温度センサを更に含み、プロセッサは現在温度が認可温度の範囲外であることを示す指示を提供するように構成される。
【００１８】
様々な実施形態において、電子薬剤装置は近距離無線通信インターフェースを更に含み、プロセッサは近距離無線通信インターフェースを介して外部装置への接続を周期的に試行して、接続の試行が失敗することに応じてアラームをトリガするように構成される。
【００１９】
様々な例示の実施形態は移動装置と通信するアプリケーションサーバに関連し、アプリケーションサーバはプロセッサ及びメモリを含み、アプリケーションサーバは移動装置におけるアプリケーションを使用してアナフィラキシーの治療のためのエピネフリンを含む緊急薬剤装置からスキャンされた薬剤装置識別子を受信し、且つ移動装置に指導映像をストリーミングするように構成され、指導映像は薬剤装置の認可ラベルに従って薬剤装置を使用するための指導を提供する。
【００２０】
様々な実施形態において、アプリケーションサーバは、薬剤装置からスキャンされた有効期限日及びロット番号並びに連絡先情報を含む登録情報を移動装置から受信し、連絡先情報と関連して登録情報を記憶し、且つイベント及び連絡先情報に基づいて移動装置に通知を送信するように更に構成される。
【００２１】
様々な実施形態において、イベントは、薬剤装置の有効期限及び薬剤装置のリコールの一方である。
【００２２】
様々な実施形態において、アプリケーションサーバは、移動装置から薬剤装置の位置情報を周期的に受信し、薬剤装置に対する位置情報でデータベースを更新し、第２の装置から位置情報に対する要求を受信し、登録情報に基づいて薬剤装置に対する位置情報へのアクセスが第２の装置に許可されるかどうかを決定し、且つ第２の装置が位置情報へのアクセスを許可されることに応じて第２の装置に位置情報を含む薬剤装置情報を提供するように更に構成される。
【００２３】
本明細書に記載の様々な例示の実施形態は、移動装置により薬剤装置の状態を追跡する方法に関し、この方法は、移動装置により、薬剤装置に関する情報を受信するステップであって、情報は位置情報及び有効期限情報を含むステップと、移動装置の現在地を決定するステップと、現在地と位置情報との比較に基づいて、薬剤装置が移動装置から既定の距離内に有ることを決定するステップと、受信した有効期限情報に基づいて、薬剤装置が有効期限イベントに現在関係付けられていることを決定するステップと、移動装置のユーザに、複数の異なるアプリケーションからの通知を出力するように構成される移動装置のオペレーティングシステム要素を介して、薬剤装置が移動装置から既定の距離内に有ること及び薬剤装置が有効期限イベントに現在関係付けられていることを決定することに応じて、有効期限イベントを示す有効期限アラームを出力するステップと、ユーザから、地理領域の地図を表示する要求を受信するステップと、移動装置により及び非オペレーティングシステムアプリケーションを介して、地理領域の地図を表示するステップと、地図上にアラートアイコンを表示するステップであって、地図上のアイコンの位置は受信した位置情報に基づくステップとを含む。
【００２４】
本明細書に記載の様々な例示の実施形態は、移動装置により薬剤装置の状態を追跡する方法に関し、この方法は、移動装置により、薬剤装置に関する情報を受信するステップであって、情報は位置情報及び有効期限情報を含むステップと、移動装置の現在地を決定するステップと、現在地と位置情報との比較に基づいて、薬剤装置が移動装置から既定の距離内に有ることを決定するステップと、受信した有効期限情報に基づいて、薬剤装置が有効期限イベントに現在関係付けられていることを決定するステップと、移動装置のユーザに、複数の異なるアプリケーションからの通知を出力するように構成される移動装置のオペレーティングシステム要素を介して、薬剤装置が移動装置から既定の距離内に有ること及び薬剤装置が有効期限イベントに現在関係付けられていることを決定することに応じて、有効期限イベントを示す有効期限アラームを出力するステップと、ユーザから、地理領域の地図を表示する要求を受信するステップと、移動装置により及び非オペレーティングシステムアプリケーションを介して、地理領域の地図を表示するステップと、地図上にアラートアイコンを表示するステップであって、地図上のアイコンの位置は受信した位置情報に基づくステップとを含む。
【００２５】
本明細書に記載の実施形態は、薬剤装置の状態を追跡するために移動装置により実行される命令が符号化された非一時的な機械可読記憶媒体に関し、この媒体は、移動装置により、薬剤装置に関する情報を受信する命令であって、情報は位置情報及び有効期限情報を含む命令と、移動装置の現在地を決定する命令と、現在地と位置情報との比較に基づいて、薬剤装置が移動装置から既定の距離内に有ることを決定する命令と、受信した有効期限情報に基づいて、薬剤装置が有効期限イベントに現在関係付けられていることを決定する命令と、移動装置のユーザに、複数の異なるアプリケーションからの通知を出力するように構成される移動装置のオペレーティングシステム要素を介して、薬剤装置が移動装置から既定の距離内に有ること及び薬剤装置が有効期限イベントに現在関係付けられていることを決定することに応じて、有効期限イベントを示す有効期限アラームを出力する命令と、ユーザから、地理領域の地図を表示する要求を受信する命令と、移動装置により及び非オペレーティングシステムアプリケーションを介して、地理領域の地図を表示する命令と、地図上にアラートアイコンを表示する命令であって、地図上のアイコンの位置は受信した位置情報に基づく命令とを含む。
【００２６】
様々な実施形態が記載されており、ここで移動装置は、薬剤装置及び薬剤装置の包装の少なくとも１つから情報を光学的に読み取ることによって、薬剤装置に関する情報を受信する。
【００２７】
様々な実施形態が記載されており、ここで移動装置は、薬剤装置及び薬剤装置の包装の少なくとも１つと無線通信することによって、薬剤装置に関する情報を受信する。
【００２８】
様々な実施形態が記載されており、ここで有効期限情報は有効期限日であり、有効期限イベントは、薬剤装置の過去の有効期限及び現在の日付から既定の時間内である薬剤装置の将来の有効期限を含む。
【００２９】
様々な実施形態が記載されており、ここで移動装置は、通信ネットワークを介して薬剤装置から位置情報を受信し、それによって移動装置は、薬剤装置が移動装置から離れた位置に有るときに薬剤装置から位置情報を受信することが可能である。
【００３０】
様々な実施形態は、移動装置により、通信ネットワークを介して、第２の薬剤装置が活性化されたことを示す活性化指示を受信すること、活性化指示に基づいてユーザに活性化アラートを出力することを更に含む。
【００３１】
様々な実施形態は、第２の薬剤装置と移動装置との間の距離を推定するために有線又は無線通信を使用して第２の薬剤装置に周期的にポーリングすること、推定された距離に基づいて、第２の薬剤装置が既定の許容距離よりも移動装置から離れていることを決定すること、及び第２の薬剤装置が既定の許容距離よりも移動装置から離れているとの決定に応じて、装置紛失アラームを出力することを更に含む。
【図面の簡単な説明】
【００３２】
様々な例示の実施形態をより良く理解するために、添付の図面が参照される。
【図１】例示の電子薬剤装置を示す。
【図２】電子薬剤装置のための例示のネットワーク環境を示す。
【図３】移動装置により行われる例示の方法を示すフローチャートである。
【図４】薬剤を監視する例示の方法を示すフローチャートである。
【図５】薬剤装置追跡アプリケーションを実行する例示のハードウェアシステムを示    す。
【図６】薬剤装置追跡アプリケーションのための第１の例示のユーザインターフェー    スを示す。
【図７】薬剤装置追跡アプリケーションのための第２の例示のユーザインターフェー    スを示す。
【図８】薬剤装置追跡アプリケーションのための第３の例示のユーザインターフェー    スを示す。
【図９】薬剤装置追跡アプリケーションのための第４の例示のユーザインターフェー    スを示す。
【図１０】薬剤装置追跡アプリケーションのための第５の例示のユーザインターフェ    ースを示す。
【図１１】薬剤装置追跡アプリケーションのための第６の例示のユーザインターフェ    ースを示す。
【図１２】薬剤装置追跡アプリケーションのための第７の例示のユーザインターフェ    ースを示す。
【図１３】薬剤装置追跡アプリケーションのための第８の例示のユーザインターフェ    ースを示す。
【図１４】薬剤装置追跡アプリケーションのための第９の例示のユーザインターフェ    ースを示す。
【発明を実施するための形態】
【００３３】
次に図を参照すると、同様の数字が同様のコンポーネント又はステップを指しており、様々な例示の実施形態の広範な態様が開示されている。
【００３４】
図１は、例示の電子薬剤装置１００を示す。電子薬剤装置１００は治療のための薬物を含んでもよく、この薬物は容器に保存されている。様々な例示の実施形態では、電子薬剤装置１００は、エピネフリン用の自己注射器、又は容器に保存されている固形薬へのアクセスを提供するための非自己注射針又は制御アクセスパネル等の他の管理コンポーネントを含む。薬剤は、緊急事態又は他の病状に対処するための１つ以上の薬剤を含んでもよい。様々な例示の実施形態では、薬剤装置１００は、エピネフリンを投薬するための自己注射器であってもよい。適切な自己注射器及び関連する装置及び方法が、米国特許第４，０３１，８９３号、４，３９４，８６３号、４，４８４，９１０号、４，６４０，６８６号、４，６７８，４６１号、４，７９５，４３３号、４，８３２，６８２号、５，０８５，６４１号、５，０９２，８４３号、５，１０２，３９３号、５，３５４，２８６号、７，４４９，０１２号、及び８，０４８，０３５号に記載されており、これらの全ては本明細書において参照により全体が組み込まれる。
【００３５】
薬剤装置１００又は包装１６０は、様々な薬剤情報が刻印されていてもよい。例えば、薬剤装置１００は、薬剤の名前、有効成分、用量、有効期限、ロットＩＤ、及び製品シリアル番号を含んでもよい。薬剤情報は、機械可読式に印刷されていてもよい。例えば、薬剤情報は、クイックレスポンス（ＱＲ）コード１７０として印刷されていてもよい。また、薬剤情報は、光学文字認識（ＯＣＲ）を使用して容易に認識される文字列として印刷されていてもよい。包装１６０は、包装内に含まれるに任意の挿入物又はカードと共に箱又は管等の容器を含んでもよい。その代わりに、薬剤装置１００に含まれる任意の情報が包装１５０上に位置していてもよいことは明らかである。以下により詳細に記載されるように、薬剤情報は、薬剤装置のメモリ１３０にデジタル的に符号化されていてもよい。
【００３６】
電子薬剤装置１００は、センサ１１０、ＩＤタグ１２０、メモリ１３０、ディスプレイ１４０、及びスピーカ１５０を更に含んでもよい。図示されてはいないが、電子薬剤装置は、例えば、プロセッサ及び／又は追加の通信インターフェース等の追加ハードウェアを含んでもよい。プロセッサは、図１に示されている１つ以上のこうしたコンポーネントと相互接続してもよい。このような追加の通信インターフェースは、例えば、ＷｉＦｉ、携帯電話通信業者ネットワーク、又は衛星を介する通信用のインターフェースを含んでもよい。代替的に、追加の通信インターフェースは、有線通信インターフェースを含んでもよい。
【００３７】
センサ１１０は、電子薬剤装置１００の活性化を検出してもよい。センサ１１０は、電子薬剤装置１００が活性化されると電子回路を閉じる又は開くフランジブル要素を含んでもよい。センサ１１０は、薬剤の使用に応じてアクションを行うようにＩＤタグ１２０に信号を提供してもよい。センサ１１０は、薬剤装置１００が使用されることを示すようにメモリ１３０を変更してもよく、使用時間を記録してもよい。
【００３８】
様々な実施形態において、センサ１１０は温度センサを含んでもよい。温度センサは、薬物の現在温度を連続的に測定してもよい。温度センサは、現在温度をプロセッサに提供して、認可温度と比較してもよい。薬物がエピネフリンである実施形態において、認可温度の範囲は３０°Ｃであってもよい。現在温度が認可温度の範囲外である場合、ディスプレイ１４０又はスピーカ１５０によりアラームが生成されてもよい。
【００３９】
様々な実施形態において、センサ１１０は、薬剤の色を決定することが可能な比色センサを含んでもよい。例えば、センサ１１０は分光光度計であってもよい。薬剤の色は、薬剤の品質を示してもよい。例えば、薬剤は、劣化してくると透明からピンク又は茶色に変わってもよい。
【００４０】
ＩＤタグ１２０は、近距離無線通信用のＲＦＩＤ、ＮＦＣ又は他のタグを含んでもよい。このようなタグは、パッシブエネルギにより電力を供給され、バッテリを必要としなくてもよい。様々な実施形態において、ＩＤタグ１２０は、例えば、ブルートゥース（登録商標）を使用してバッテリ駆動無線送信機を含んでもよい。ＩＤタグ１２０は、電子薬剤装置１００から、例えば、無線リーダ１４０又はＮＦＣ対応移動装置等の無線リーダに情報を提供してもよい。ＩＤタグ１２０は、メモリ１３０に接続され又はメモリ１３０を含んでもよい。様々な実施形態において、ＩＤタグ１２０は、薬剤装置１００ではなく包装１６０上に位置していてもよい。
【００４１】
メモリ１３０は、電子薬剤装置１００に関する情報を記憶してもよい。メモリ１３０は、リードオンリメモリ（ＲＯＭ）又は電気的消去可能なプログラマブルリードオンリメモリ（ＥＥＰＲＯＭ）等の不揮発性メモリを含んでもよい。メモリ１３０に記憶されている情報は、製造日、有効期限、薬物、用量、指導音声、指導テキスト、他の使用説明、処方情報、再注文情報、及び緊急連絡情報を含んでもよい。
【００４２】
ディスプレイ１４０は、ＬＣＤ、ＬＥＤアレイ、又は単一ＬＥＤ等のディスプレイを含んでもよい。ディスプレイ１４０は、電子薬剤装置１００に関する情報を表示してもよい。ディスプレイ１４０は、メモリ１３０に記憶されている任意の情報を読み取って表示してもよい。例えば、ディスプレイ１４０は、薬物の有効期限を表示してもよい。また、ディスプレイ１４０は、ユーザのための指導を表示してもよい。様々な実施形態において、ディスプレイ１４０は、薬物の有効期限、薬物の用法、又はケース若しくは移動装置２２０等の別の装置からの分離等の特定のイベントに応じて特定のメッセージを照らし、点滅させ、又は表示してもよい。
【００４３】
スピーカ１５０は音声出力を提供してもよい。例えば、スピーカ１５０は、メモリ１３０に記憶されている事前に記録された指導を再生してもよい。様々な実施形態において、ＩＤタグ１２０又は別の通信インターフェース（図示せず）が、スピーカ１５０で再生される別の装置からの情報をダウンロード又はストリーミングしてもよい。例えば、電子薬剤装置１００は、移動装置２２０を介して又は直接的に、アプリケーションサーバ２５０又はリモートオペレータから情報をストリーミングしてもよい。
【００４４】
様々な実施形態において、電子薬剤装置１００は再利用可能であってもよい。そのため、電子薬剤装置１００は、薬物及び／又は無菌針を含む使い捨てカートリッジ又はコンポーネントセットを中に入れてもよい。このようなカートリッジ又はコンポーネントセットは、電子薬剤装置１００又は移動装置２２０に有効期限又は他の情報を伝達するためにそれ自体のＲＦＩＤタグ又は他の手段を含んでもよい。
【００４５】
様々な実施形態において、電子薬剤装置１００のプロセッサ又は他のコンポーネントは、ユーザ情報又は他の情報に基づいて電子薬剤装置１００の動作を変更してもよい。例えば、電子薬剤装置１００は、認可ユーザに処方された用量に基づいて異なる用量を提供してもよい。別の例示として、ユーザは、患者の体重、身長及び／又は体格指数（ＢＭＩ）を電子薬剤装置１００のキーパッドに入力し、又は情報を移動装置２２０に入力してユーザ情報を薬剤装置１００に無線で送信してもよい。次に、プロセッサは、入力要素に基づいて適切な用量を計算し且つ投与してもよい。別の例示として、プロセッサは、ユーザがこのような投与を認可されない場合、薬物投与を防ぎ又は無効にしてもよい。
【００４６】
図２は、電子薬剤装置１００のための例示のネットワーク環境２００を示す。電子薬剤装置１００は、ネットワーク環境２００の様々な要素と相互作用して、緊急アクセス及び強化機能を提供してもよい。ネットワーク環境２００は、ネットワーク２０５、ＧＰＳ衛星２１０、移動装置２２０、移動基地局２２５、無線ルータ２３０、医療サーバ２４０、中央コントロール２５０、及び緊急サービス２６０を含んでもよい。
【００４７】
ネットワーク２０５は、情報を伝達するためのデジタルネットワークであってもよい。例えば、ネットワーク２０５はインターネットであってもよい。ネットワーク２０５は、様々なエンドユーザと装置との間で情報を送信してもよい。また、ネットワーク２０５は、電話ネットワークを含んでもよい。
【００４８】
ＧＰＳ衛星２１０は、電子薬剤装置１００、移動装置２２０及び他の装置がそれぞれの物理的位置を決定することを可能にしてもよい。ＧＰＳ衛星２１０は、信号をブロードキャストする地球同期衛星であってもよい。ＧＰＳ対応装置は、位置を決定するために複数の衛星からの信号を使用してもよい。様々な実施形態において、ＧＰＳ衛星２１０は、地上位置システム（ｔｅｒｒｅｓｔｒｉａｌ  ｌｏｃａｔｉｏｎ  ｓｙｓｔｅｍ）を含むか又はそれに置換されてもよい。例えば、装置の物理的位置を検出するためにＷｉＦｉアクセスポイントが使用されてもよい。
【００４９】
移動装置２２０は、アプリケーションを実行し且つ通信を行うことが可能なスマートフォン、タブレットコンピュータ、ラップトップ又は任意の他のコンピュータ装置等の装置であってもよい。様々な実施形態において、移動装置２２０は、ローカルネットワーク及び移動ネットワークと共に近距離無線プロトコルを使用して通信することができるＮＦＣ対応携帯電話である。特に、移動装置２２０は、移動基地局２２５を使用して移動ネットワークと通信してもよい。移動装置２２０は、ＧＰＳ等の位置検出サービスを含んでもよい。
【００５０】
移動装置２２０は、ＲＦＩＤ、ＮＦＣ又は他の無線通信を使用して電子薬剤装置１００と相互作用してもよい。移動装置２２０は、薬剤装置１００に印刷されている又はメモリ１３０に記憶されている薬剤情報を読み取ってもよい。例えば、移動装置２２０は、ＱＲコード（登録商標）又は印刷文字列を読み取るように構成されるカメラ及びアプリケーションを含んでもよい。また、移動装置２２０は、ＲＦＩＤ、ＮＦＣ又はブルートゥース等の近距離無線プロトコルを使用してメモリ１３０からデータを読み取ってもよい。また、近距離無線通信は、薬剤装置１００の存在を決定するために移動装置２２０により使用されてもよい。例えば、移動装置２２０は、薬剤装置１００の周期的な読み取りを試行して、移動装置２２０が薬剤装置１００を読み取ることができない場合に薬剤装置１００が存在しないことを決定してもよい。
【００５１】
移動装置２２０は、電子薬剤装置１００と相互作用するための専用アプリケーションを含んでもよい。移動装置２２０は、ＩＤタグ１２０を介してメモリ１３０にアクセスして、データを読み書きしてもよい。移動装置２２０は、電子薬剤装置１００の変化を検出して、それに応じてアクションを行ってもよい。例えば、移動装置２２０は、電子薬剤装置１００が活性化されたことを検出してもよい。移動装置２２０は、自動的に緊急サービス２６０に連絡して、ユーザが緊急隊員と話すことができるようにするか、又は移動装置２２０は、患者を治療するために薬剤が活性化されたことを示す事前に記録されたメッセージを緊急サービス２６０に提供してもよい。また、移動装置２２０は、緊急隊員が患者を見つけることができるようにＧＰＳ情報に基づく位置を提供してもよい。また、アプリケーションは、追加の薬剤関連情報及びサービスを提供するためにサーバ２５０と相互作用してもよい。例えば、アプリケーションは、疾患情報及びニュース、薬剤登録、リマインダ、製品アクセサリ情報、薬剤挿入及び患者情報、及び地域アレルギー情報を提供してもよい。
【００５２】
ＩＤタグ１２０は、電子薬剤装置１００が移動装置２２０の近接内に有るかどうかを決定するために使用されてもよい。ＩＤタグ１２０は、周期的にポーリングし、又は移動装置２２０の無線リーダにより周期的にポーリングされてもよい。予測されたときにポーリングが発生しない場合又は移動装置が応答しない場合、電子薬剤装置１００はアラートを生成してもよい。例えば、電子薬剤装置１００は、スピーカ１５０から音声を再生してもよく、又はユーザに警告するためにディスプレイ１４０を点滅させてもよい。アラートは、緊急の場合に薬剤を手の届くところに保持することをユーザに思い出させてもよい。また、移動装置２２０は、電子薬剤装置１００が検出されない場合にアラートを生成してもよい。移動装置２２０は、ユーザが特定の場所に出入りするたびに電子薬剤装置１００の存在を確認するように構成されてもよい。例えば、移動装置２２０は、ユーザが電子薬剤装置を持たずに家を出る場合にアラートを生成してもよい。
【００５３】
様々な実施形態において、ＩＤタグ１２０は、電子薬剤装置１００を能動的に検索するために使用されてもよい。移動装置２２０は、ユーザにより活性化されるとＩＤタグ１２０に信号を送信するように構成されてもよい。信号は、ＩＤタグ１２０により受信されて、スピーカ１５０に可聴音声を生成させてもよい。音声の音量又はピッチは、受信信号の強度によって変化してもよい。代替的に、移動装置２２０は、パッシブＲＦＩＤタグ等のＩＤタグ１２０により反射される信号を検出してもよい。移動装置２２０は、可聴音声を再生して、反射信号の強度によって音量又はピッチを変化させてもよい。
【００５４】
また、移動装置２２０は緊急連絡先に連絡してもよい。例えば、移動装置２２０は、電子薬剤装置１００が使用されるか又は何らかの他のアラートを生成する場合に、メモリ１３０又は移動装置２２０内に記憶されている任意の緊急連絡先にＥメールし、メッセージを送り、又は電話してもよい。移動装置２２０は、時刻又は他の利用可能な情報に基づいて連絡先を選択してもよい。
【００５５】
薬剤の期限切れ又は薬剤の活性化を検出すると、移動装置２２０は、交換薬剤の注文を開始してもよい。移動装置２２０は、コントロールセンタ２５０又は医療サーバ２４０に注文を送信してもよい。注文は、患者及び処方箋情報を含んでもよい。医療サーバ２４０は、処方箋が再使用を含むかどうか、処方箋無しで交換が許されるかどうか、又は患者が薬剤に対する有効な若しくは継続的な処方箋を有するかどうかを決定してもよい。医療サーバ２４０は、処方箋が認可される場合に自動的に注文を履行してもよい。代替的に、医療サーバ２４０は、新しい処方箋のために、及び薬剤の配備に関して追跡調査するために患者の医者に予約をしてもよい。
【００５６】
無線ルータ２３０は、ローカルエリアネットワーク（ＬＡＮ）及びインターネットへの接続を提供する無線ルータであってもよい。無線ルータ２２０は、電子薬剤装置１００及び移動装置２２０にアクセスされてもよい。従って、無線ルータ２２０は、データを送受信するためにこうした装置にインターネットアクセスを提供してもよい。
【００５７】
医療サーバ２４０は、医療提供者、健康保険提供者、又は政府健康機関により運営されるサーバであってもよい。医療サーバ２４０は、患者情報を記憶してもよい。医療サーバ２４０は、患者の移動装置２２０、コントロールセンタ２５０及び緊急サービス２６０等の認可装置に患者情報を提供してもよい。医療サーバ２４０は、電子薬剤装置１００、移動装置２２０、及びコントロールセンタ２５０からの特定のメッセージを受信して処理するように構成されてもよい。例えば、医療サーバ２４０は、処方箋を確認して再処方を注文するように構成されてもよい。
【００５８】
アプリケーションサーバ２５０は、薬剤製造業者又は他のサードパーティにより運営されるコンピュータサーバであってもよい。アプリケーションサーバ２５０は、移動装置で実行されるダウンロード可能なアプリケーションを提供してもよい。また、アプリケーションサーバ２５０は、ダウンロード可能なアプリケーション及び／又はウェブアプリケーションのサポートを提供してもよい。アプリケーションサーバ２５０は、薬剤装置１００に登録することを選択する患者により提供される登録薬剤情報のデータベースを含んでもよい。アプリケーションサーバ２５０は、アプリケーションを介してアクセス可能な様々なサービスを提供してもよい。アプリケーションサーバ２５０は、移動装置にダウンロード又はストリーミングされ得る指導音声及び／又は映像を提供してもよい。アプリケーションサーバ２５０は、登録された薬剤装置に基づいて移動装置に情報を提供してもよい。
例えば、アプリケーションサーバ２５０は、有効期限を追跡して、接近している有効期限の通知を提供してもよい。様々な実施形態において、アプリケーションサーバ２５０は、登録ユーザが登録薬剤装置の最後に知られていた物理的位置を追跡することを可能にする追跡システムを提供してもよい。
【００５９】
電子薬剤装置１００は、同様に、様々な使用に関するデータを処理し得るアプリケーションサーバ２５０に使用情報を提供してもよい。例えば、アプリケーションサーバ２５０は、移動装置２２０等の移動装置上で実行されているアプリケーションに処理された使用データを提供してもよい。このようなアプリケーションは、例えば、ユーザが電子薬剤装置１００及び／又は他の電子薬剤装置１００を投与した場所を示す地図を提供してもよい。また、このようなアプリケーションは、位置情報を含む、電子薬剤装置１００がいつ使用されたかについてのリアルタイムアラートを提示することもできる。また、アプリケーションは、イベントリスト及びグラフ等の電子薬剤装置１００の使用イベントの履歴データ及び分析を提供してもよい。別の例示として、アプリケーションサーバ２５０は、薬剤装置１００の廃棄及び／又はリサイクルを追跡してもよい。廃棄又はリサイクル施設は、薬剤装置１００からロットＩＤ及び製品シリアル番号を含む薬剤情報をスキャンしてもよい。廃棄又はリサイクル施設は、登録薬剤装置１００との照合のためにアプリケーションサーバ２５０及び／又は医療サーバ２４０にスキャンされた薬剤情報を送信してもよい。
【００６０】
図３は、移動装置２２０により行われる例示の方法３００を示すフローチャートである。移動装置２２０は、移動装置２２０のプロセッサ及び他のコンポーネントに方法３００のステップを行わせ得るように構成されるアプリケーションを含んでもよい。方法３００は、ステップ３０５で開始して、ステップ３１０に進んでもよい。
【００６１】
ステップ３１０において、移動装置２２０は、薬剤装置１００から薬剤情報を読み取ってもよい。様々な実施形態において、移動装置２２０は、カメラを使用して、薬剤装置１００又はその包装の写真を撮ってもよい。例えば、ユーザは、有効期限、ロット番号及びシリアル番号の写真を撮るか、又はＱＲコードの写真を撮ってもよい。移動装置２２０は、薬剤情報を決定するために写真を分析してもよい。また、移動装置２２０は、分析のために写真をアプリケーションサーバ２５０に転送してもよい。様々な実施形態において、移動装置２２０は、メモリ１３０から薬剤情報を読み取ってもよい。
【００６２】
ステップ３１５において、移動装置２２０は、ユーザが薬剤装置１００の登録を希望するかどうかを決定してもよい。移動装置２２０は、登録の利益の説明、登録するオプションを提供するユーザインターフェースを提示してもよい。また、ユーザインターフェースは、ユーザが連絡先情報を入力するか又は薬剤情報を手動で入力する機能を提供してもよい。ユーザが薬剤装置１００を登録することを選択する場合、方法３００はステップ３２０に進んでもよい。ユーザが薬剤装置１００を登録しないことを選択する場合、方法３００はステップ３５０に進んでもよい。
【００６３】
ステップ３２０において、移動装置２２０は、サーバに薬剤情報を送信してもよい。移動装置２２０は、薬剤装置１００、包装、及び／又はメモリ１３０から読み取られる薬剤情報を送信してもよい。また、移動装置２２０は、ユーザにより入力されるユーザ情報を送信してもよい。様々な実施形態において、ユーザは、新しい薬剤装置１００によって既存の登録を更新してもよい。従って、サーバ１５０は、既にユーザ情報を有していてもよく、ユーザ識別子のみが薬剤情報と共に送信されてもよい。様々な実施形態において、移動装置２２０は、アプリケーションサーバ２５０に加えて医療サーバ２４０に薬剤情報を送信してもよい。例えば、政府健康機関が薬剤情報を収集してもよい。また、アプリケーションサーバ２５０は、医療サーバ２４０に薬剤情報を転送してもよい。
【００６４】
ステップ３２５において、移動装置２２０は、ユーザが位置追跡サービスの登録を希望するかどうかを決定してもよい。以下でより詳細に記載されるように、位置追跡サービスは、薬剤装置１００の位置を監視して、それが無くなった又は活性化された場合にユーザが装置１００を見つけるのを支援してもよい。移動装置２２０は、薬剤装置１００を追跡するために使用され得る追加の移動装置２２０の電話番号等の薬剤装置１００の位置の追跡に役立つ追加情報の入力をユーザに促してもよい。追加の移動装置２２０は、例えば、薬剤装置１００を処方されている子供により通常持ち運ばれる移動装置であってもよい。
ユーザが位置追跡を使用可能にする場合、方法３００はステップ３３０に進んでもよい。
ユーザが位置追跡を止める場合、方法３００はステップ３４０に進んでもよい。
【００６５】
ステップ３３０において、移動装置２２０は、薬剤装置の存在を確認してもよい。様々な実施形態において、移動装置２２０は、薬剤装置をポーリングするためにブルートゥース等の近距離無線通信プロトコルを使用してもよい。
【００６６】
薬剤装置１００が存在する場合、移動装置２２０は、薬剤装置１００との接続を確立して、追加情報を受信してもよい。
【００６７】
ステップ３３５において、移動装置２２０は、サーバ１５０に薬剤装置１００の位置を報告してもよい。ステップ３３０において移動装置２２０が薬剤装置１００の存在を検出した場合、移動装置は、薬剤装置１００の位置として移動装置２２０の位置を報告してもよい。薬剤装置１００が検出されない場合、移動装置２２０は、紛失中の薬剤装置の位置が知られていないことを報告するか又は薬剤装置１００の最後に知られていた位置を報告してもよい。
【００６８】
ステップ３４０において、移動装置２２０は、ユーザが薬剤装置２２０に関するリマインダの受信を希望するかどうかを決定してもよい。移動装置２２０は、利用可能なリマインダに関する情報を表示するユーザインターフェースを提示してもよい。移動装置のユーザは、受信したいリマインダを選択してもよい。薬剤装置に関する例示のリマインダは、期限が切れた薬剤装置を交換するためのリマインダ、指導を検討するためのリマインダ、新しい処方箋を取得するためのリマインダ、医学検査を行うためのリマインダ、及び薬剤装置から周期的に服用するためのリマインダを含んでもよい。移動装置２２０は、選択されたリマインダをサーバ１５０に送信してもよく、これはリマインダに関連するイベントを監視してもよい。ステップ３４５において、移動装置２２０は、薬剤情報に基づいてサーバ１５０からリマインダを受信してもよい。様々な実施形態において、リマインダは、ＳＭＳ（ｓｉｍｐｌｅ  ｍｅｓｓａｇｉｎｇ  ｓｅｒｖｉｃｅ）、Ｅメール、又はアプリケーションに基づくメッセージングシステムを介して受信されてもよい。
【００６９】
ステップ３５０において、移動装置２２０は、ユーザが指導の受信を希望するかどうかを決定してもよい。ユーザは、アプリケーション内のボタンを選択することによって指導を受信する要求を示してもよい。様々な実施形態において、移動装置２２０は、ユーザがＱＲコードをスキャンすること又は薬剤装置の写真を撮ることに基づいて自動的に指導を要求してもよい。ユーザが指導の受信を要求する場合、方法３００はステップ３５５に進んでもよい。ユーザが指導の受信を要求しない場合、方法３００はステップ３６０に進んでもよい。ステップ３５５において、移動装置２２０は、サーバ２５０から指導を要求してもよい。要求は、薬剤装置１００を識別する情報を含んでもよい。様々な実施形態において、要求は、薬剤装置１００の名前又は識別子のみを含み、ロット番号、製品シリアル番号、又は有効期限等の特定の情報を含まなくてもよい。ステップ３５５において、移動装置２２０は、サーバ２５０から指導を受信してもよい。指導は、アプリケーションサーバ２４０からストリーミングされる映像の形態であってもよい。また、指導は、音声又は書面での指導を含んでもよい。
【００７０】
ステップ３６０において、移動装置２２０は、ユーザが薬剤装置１００に関するニュースの受信を希望するかどうかを決定してもよい。ユーザは、アプリケーション内のボタンを選択することによってニュースを受信する要求を示してもよい。ユーザがニュースの受信を要求する場合、方法３００はステップ３６５に進んでもよい。ユーザがニュースの受信を要求しない場合、方法３００はステップ３７０に進んでもよい。ステップ３６５において、移動装置２２０は、サーバ２５０からニュースの更新を受信してもよい。ニュースの更新は、識別された薬剤装置に基づいて移動装置２２０にプッシュされてもよい。
【００７１】
ステップ３７０において、移動装置２２０は、ユーザが薬剤装置１００の追跡を要求するかどうかを決定してもよい。追跡サービスは、薬剤装置をサーバ２５０に登録することを必要としてもよい。ユーザは、アプリケーション内のボタンを選択することによって薬剤装置を追跡する要求を示してもよい。様々な実施形態において、薬剤装置１００の追跡は、装置に関するイベントに応じてアプリケーションサーバ２５０により開始されてもよい。例えば、登録された薬剤装置１００の使用は、患者の移動装置によりアプリケーションサーバ２５０に報告されてもよい。次に、アプリケーションサーバ２５０は、患者の装置又は他の緊急連絡先等の別のユーザ装置２２０に通知をプッシュして、追跡情報を提供してもよい。ユーザが薬剤装置１００を追跡することを要求する場合、方法３００はステップ３７５に進んでもよい。ユーザが薬剤装置１００を追跡することを要求しない場合、方法３００はステップ３９０に進んでもよく、方法３００は終了する。
【００７２】
ステップ３７５において、移動装置２２０は、位置情報を含む登録薬剤装置１００に関する情報を取得してもよい。移動装置２２０は、登録ユーザのみが薬剤装置の情報へのアクセスを有することを確実にするために、パスワードを入力すること又は他のセキュリティ動作を行うことをユーザに要求してもよい。移動装置２２０は、ユーザに登録された薬剤装置１００のリストを提示してもよく、又は全ての登録薬剤装置に関する情報を要求してもよい。アプリケーションサーバ２５０は、要求を受信して、データベースから薬剤装置の情報を抽出してもよい。また、アプリケーションサーバ２５０は、現在の薬剤装置の情報に関して登録薬剤装置に関係付けられる他の移動装置をポーリングすることによって、薬剤装置の位置を更新しようとしてもよい。
【００７３】
移動装置２２０は、サーバ２５０から薬剤情報を受信してもよい。薬剤情報は、例えば、経度及び緯度座標又は所在地住所であり得る位置を含んでもよい。また、薬剤情報は、薬剤装置の現在温度、薬剤装置の最後の使用時間、及び薬剤装置に残っている投与回数等の情報を含んでもよい。ステップ３８０において、移動装置２２０は、ユーザに薬剤装置の情報を地図として提示してもよい。地図は、移動装置２２０の現在地と共に薬剤装置１００の現在地を示してもよい。様々な実施形態において、例示の方法３００は、複数の独立した方法として実装され得ることが明らかであろう。例えば、ステップ３１０−３４５は登録方法として実装されてもよく、一方でステップ３５０−３８０は別の動作方法として実装されてもよい。追加の実装の詳細及び修正が明らかである。
【００７４】
図４は、薬剤を監視する例示の方法４００を示すフローチャートである。方法４００は、電子薬剤装置１００と通信する移動装置２２０により行われてもよい。方法４００は、図３に示された方法３００のステップ３３０として行われてもよい。
【００７５】
方法４００は、ステップ４０５で開始して、ステップ４１０に進んでもよい。ステップ４１０において、移動装置２２０は、その位置を決定してもよい。様々な実施形態において、移動装置２２０は、方法を進めるかどうかを決定するために位置を使用してもよい。
例えば、移動装置２２０は、移動装置２２０が指定された位置にある場合に方法を中断してもよく、又は移動装置２２０は位置の変化が検出されるまで方法を遅らせてもよい。
【００７６】
ステップ４１５において、移動装置２２０は、近くの任意の電子薬剤装置を検出してもよい。移動装置２２０は、ＲＦＩＤ、ＮＦＣ、ブルートゥース又は別の近距離プロトコルを使用して、薬剤装置における近くのタグ１２０をポーリングしてもよい。移動装置２２０は、移動装置２２０により知られている識別子を有する１つ以上の特定の電子薬剤装置をポーリングするように構成されてもよい。ステップ４２０において、移動装置２２０は、電子薬剤装置１００が存在するかどうかを決定してもよい。薬剤装置が存在しない場合、方法はステップ４２５に進んでもよい。薬剤装置が検出される場合、方法はステップ４３０に進んでもよい。
【００７７】
ステップ４２５において、移動装置２２０は、アラームを生成してもよい。アラームは、検出されなかった任意の特定の薬剤装置を示してもよい。アラームは、名前により又はそれが治療する症状により薬剤装置を識別するメッセージを含んでもよい。移動装置が頻繁に方法４００を行う場合、薬剤装置は近くに有るが、近距離無線プロトコルの範囲外である可能性が高い。従って、ユーザは薬剤装置を取得することを思い出させられてもよい。また、移動装置２２０は、別の移動装置へのメッセージを生成してもよい。例えば、移動装置２２０は、薬剤装置１００が移動装置２２０から分離したことを示すＳＭＳメッセージ又はＥメールを患者、保護者又は他の緊急連絡先に送信してもよい。次に、方法４００は、ステップ４６０に進んでもよく、そこで方法は終了する。
【００７８】
ステップ４３０において、移動装置２２０は、薬剤装置１００からデータを受信してもよい。移動装置２２０は、メモリ１３０からデータを読み込むためにリードコマンドを送信してもよい。様々な実施形態において、装置１００が活性化されたことをセンサ１１０が決定すると、移動装置２２０は、電子薬剤装置１００からデータを受信してもよい。ステップ４３５において、移動装置２２０は、電子薬剤装置１００が使用されたかどうかを決定してもよい。移動装置２２０は、センサ１１０の状態を決定するか又はステップ４３０で受信したデータを解析してもよい。薬剤装置が使用されている場合、方法はステップ４４０に進んでもよい。薬剤装置が使用されていない場合、方法はステップ４５０に進んでもよい。
【００７９】
ステップ４４０において、移動装置２２０は、移動装置の現在地を記録してもよい。移動装置の位置は、装置が使用された位置を特定するために使用されてもよい。ステップ４４５において、移動装置２２０は、緊急連絡先を通知してもよい。移動装置２２０は、例えば、９１１に電話をかけて、緊急サービス２６０に連絡してもよい。移動装置２２０は、アナフィラキシー又は別の病状に苦しんでいるユーザが緊急係員と話すことができるようにスピーカフォンをオンにしてもよい。移動装置２２０が任意の音声入力を受信しない場合、移動装置２２０は、電子薬剤装置が記憶されている位置で活性化されたことを示す記録メッセージを再生してもよい。また、移動装置２２０は他の人々に連絡してもよい。
例えば、移動装置２２０は、移動装置２２０又はメモリ１３０に記憶されている緊急連絡先に電話し、Ｅメール又はメッセージを送信してもよい。
【００８０】
ステップ４５０において、移動装置２２０は、電子薬剤装置１００の期限が切れているかどうかを決定してもよい。移動装置２２０は、電子薬剤装置１００から受信した有効期限と現在の日付とを比較してもよい。また、様々な実施形態において、移動装置２２０は、薬剤の品質を読み取る機能を有してもよい。例えば、移動装置２２０は、薬剤装置１００においてセンサ１１０から情報を読み取ってもよい。センサ１１０は、例えば、薬剤装置１００が不適切な温度で保管されたか又は色などの特性を変化させた場合に、薬剤の期限が早期に切れたことを決定してもよい。様々な実施形態において、移動装置２２０は、製品の品質を決定することが可能であってもよい。例えば、移動装置のカメラは、薬剤の色を測定するために分光光度計として機能してもよい。代替的に、移動装置２２０は、分光光度計の分析のためにアプリケーションサーバ２５０に薬剤装置の写真を送信してもよい。薬剤装置１００は、分光光度計の分析を支援するために透明窓及び着色マーキングを含んでもよい。移動装置２２０は、薬剤が所定の特性を示す場合に薬剤の期限が早期に切れたことを決定してもよい。薬剤装置の期限が切れている場合、方法はステップ４５５に進んでもよい。薬剤装置の期限が切れていない場合、方法はステップ４５０に進んでもよい。
【００８１】
ステップ４５５において、移動装置４５５は電子薬剤装置を補充するか又は交換するための注文を開始してもよい。移動装置２２０は、コントロールセンタ２５０及び／又は医療サーバ２４０に注文を送信してもよい。次に、方法３０４はステップ４６０に進んでもよい。
【００８２】
ステップ４６０において、移動装置２２０は、薬剤装置２２０に関する情報でアプリケーションサーバ２５０を更新してもよい。アプリケーションサーバ２５０は、更新された情報を使用して、登録薬剤装置に関係付けられている他のユーザに最新情報を提供してもよい。例えば、更新された情報は、上記の追跡サービスを提供するために使用されてもよい。また、更新された情報は、アレルギー及び喘息アラート等の地域の病状に関する通知を生成するためにアプリケーションサーバ２５０により使用されてもよい。アプリケーションサーバ２５０は、同じ病状を治療するために薬剤装置を登録したユーザにニュース等のアラートを提供してもよい。方法４００は、ステップ４７０に進んでもよく、そこで方法は終了する。
【００８３】
図５は、薬剤装置追跡アプリケーションを実行するための例示のハードウェアシステム５００を示す。例示の装置５００は、図２の移動装置２２０に対応してもよい。図示のように、装置５００は、１つ以上のシステムバス５１０を介して相互接続されるプロセッサ５２０、メモリ５３０、ユーザインターフェース５４０、ネットワークインターフェース５５０、及び記憶装置５６０を含む。図５は幾つかの点で抽象化された構成を有しており、装置５００のコンポーネントの実際の機構は例示よりも複雑であり得ることが理解されるであろう。
【００８４】
プロセッサ５２０は、メモリ５３０又は記憶装置５６０に記憶された命令を実行することが可能な任意のハードウェア装置であってもよい。そのため、プロセッサは、マイクロプロセッサ、フィールド・プログラマブル・ゲート・アレイ（ＦＰＧＡ）、特定用途向け集積回路（ＡＳＩＣ）、又は他の類似の装置を含んでもよい。
【００８５】
メモリ５３０は、例えば、Ｌ１、Ｌ２若しくはＬ３キャッシュ又はシステムメモリ等の様々なメモリを含んでもよい。そのため、メモリ５３０は、スタティック・ランダム・アクセス・メモリ（ＳＲＡＭ）、ダイナミックＲＡＭ（ＤＲＡＭ）、フラッシュメモリ、リードオンリメモリ（ＲＯＭ）、又は他の類似のメモリ装置を含んでもよい。
【００８６】
ユーザインターフェース５４０は、装置５００のユーザとの相互作用を可能にするための様々なハードウェアを含んでもよい。例えば、ユーザインターフェース５４０は、タッチスクリーンディスプレイ、スピーカ、及びマイクロホンを含んでもよい。一部の実施形態では、ユーザインターフェース５４０は、モニタ、キーボード及びマウスを含んでもよい。ユーザ入力／出力ハードウェアの様々な代替のセットも明らかであろう。
【００８７】
ネットワークインターフェース５５０は、他のハードウェア装置との通信を可能にするための１つ以上の装置を含んでもよい。また、ネットワークインターフェース５５０は、無線通信媒体を介してこのような通信を可能にするために１つ以上の無線インターフェース５５５を含んでもよい。例えば、無線インターフェース５５０は、１つ以上のアンテナ、様々なスキームに従う信号復調が可能な受信回路、様々なスキームに従う信号変調が可能な送信回路、及び１つ以上のプロトコルスタックを含んでもよい。無線インターフェース５５５は、例えば、ＷｉＦｉ、３Ｇ、４Ｇ、ＮＦＣ、ＲＦＩＤ又はブルートゥース等の１つ以上の無線プロトコルによる通信を提供してもよい。このような通信は、ハードウェア５００と薬剤装置等の別の装置との間で直接行われてもよく、又はインターネット等の中間装置のネットワークを介して行われてもよい。
【００８８】
記憶装置５６０は、リードオンリメモリ（ＲＯＭ）、ランダムアクセスメモリ（ＲＡＭ）、磁気ディスク記憶媒体、光学記憶媒体、フラッシュメモリ装置、又は類似の記憶媒体等の１つ以上の機械可読記憶媒体を含んでもよい。
【００８９】
例えば、記憶装置５６０は、システム５００及びシステムで実行中のアプリケーションに様々な基本機能を提供するためにオペレーティングシステム命令５６１を記憶してもよい。オペレーティングシステム機能の例として、オペレーティングシステム命令は、可聴アラーム及び視覚アラーム等の様々なタイプのアラートを出力するための基本的な入出力機能を提供してもよい。一部の実施形態では、オペレーティングシステムは、装置５００のディスプレイが活性化されている間に常に見える通知バー又は通知を出力するための他の要素を提供してもよく、様々な異なるアプリケーションに関係付けられるアイコン又は他の通知を提供する。
【００９０】
また、記憶装置５６０は、薬剤追跡アプリケーションを提供するために追跡アプリケーション命令５６２を記憶してもよい。特に、追跡アプリケーション命令５６２は、様々な薬剤装置又は移動装置に対して本明細書に記載の機能の任意の組み合わせを実装してもよい。例えば、追跡アプリケーション命令は、薬剤の有効期限、装置の活性化、又は紛失した装置等のイベントに基づいて装置５００のユーザに様々なアラームを出力するように構成されてもよい。上記に照らせば追跡アプリケーション命令５６２のための様々な他の機能も明らかであろう。様々な機能を容易にするために、追跡アプリケーション命令５６２は、一部の実施形態では、装置５００と１つ以上の薬剤装置との間で様々な形態の通信を提供するために薬剤装置通信命令５６３を含んでもよい。例えば、薬剤装置通信命令５６３は、薬剤装置又は包装から有効期限又は他の情報を光学的に読み取ること、薬剤装置又は包装からこのような情報を無線で読み取ること、薬剤装置又は包装の近接性をポーリングすること、又はインターネット等のネットワークを介して薬剤装置又は包装から位置情報又は他の情報を受信することを可能にしてもよい。薬剤装置又は包装との様々な他の形態の通信も明らかであろう。
【００９１】
また、記憶装置５６０は、追跡アプリケーション命令５６２により使用される様々なデータを記憶してもよい。例えば、記憶装置５６０は、様々な登録された個人に関するプロファイル情報５６４を記憶してもよい。プロファイル情報５６４は、名前、アレルギー、処方された薬剤装置、又は緊急連絡先情報等の情報を含んでもよい。また、記憶装置５６０は、例えば、装置識別子、関連するプロファイル、有効期限、又は位置情報等の薬剤装置情報５６５を記憶してもよい。
【００９２】
記憶装置５６０に記憶されていると記載された様々な情報は追加的に又は代替的にメモリ５３０に記憶されてもよいことが明らかであろう。この点では、メモリ５３０は「記憶装置」を構成すると見なされてもよい。様々な他の構成も明らかであろう。更に、メモリ５３０及び記憶装置５６０は共に、「非一時的な機械可読媒体」と見なされてもよい。本明細書で用いられる場合、「非一時的」という用語は、一時的な信号を除外するが、揮発性及び不揮発性メモリの両方を含む全ての形態の記憶装置を含むと理解されるであろう。
【００９３】
装置５００は記載された各コンポーネントの１つを含むように示されているが、様々なコンポーネントが様々な実施形態において重複してもよい。例えば、プロセッサ５２０は、本明細書に記載の方法を独立して実行するように構成される、又は本明細書に記載の機能を達成するために複数のプロセッサが協働するように本明細書に記載の方法のステップ又はサブルーチンを行うように構成される複数のマイクロプロセッサを含んでもよい。
【００９４】
図６は、薬剤装置追跡アプリケーションのための第１の例示のユーザインターフェース６００を示す。ユーザインターフェース６００は、例えば、薬剤追跡アプリケーションを開いた後で移動装置により表示されてもよい。図示のように、ユーザインターフェース６００は、例えば、現在時刻、信号強度、充電、キャリア、及びアプリケーション生成アラーム又は他の通知等の様々な情報を表示するためのオペレーティングシステム提供の通知バー６０５を含んでもよい。また、ユーザインターフェース６００は、追跡アプリケーションを介して迅速なナビゲーションを可能にするアプリケーションナビゲーションバー６１０も含む。例えば、図示のように、ナビゲーションバー６１０上のホームボタンがハイライトされて、ユーザインターフェース６００がアプリケーションの「ホーム」領域の部分を表示していることを示している。そのため、ユーザインターフェース６００は、アプリケーションの異なる機能にアクセスするための様々なボタンを含むメインナビゲーションメニュー６２０も含む。例えば、「自己注射器を追跡する」ボタンは、追跡インターフェースへの迅速なアクセスを提供してもよく、その例は図１３に関して以下により詳細に記載される。別の例示として、「連絡先に通知する」ボタンは、ユーザのための緊急連絡先として以前に記憶されている人物への電話呼び出し又は他の形態の通信を開始するために選択されてもよい。ナビゲーションメニュー６２０に含まれる様々な他のボタンも明らかであろう。
【００９５】
図７は、薬剤装置追跡アプリケーションのための第２の例示のユーザインターフェース７００を示す。ユーザインターフェース７００は、ナビゲーションバー６１０上の「学習」ボタンのハイライトによって示されるアプリケーションの「学習」領域に対応してもよい。図示のように、ユーザインターフェース７００は、ユーザに情報を伝達するために重要な安全情報ウィンドウ７２０を提供する。選択されると、重要な安全情報ウィンドウ７２０は、情報を閲覧するための追加領域を提供するために拡張してもよい。また、ユーザインターフェース７００は、「学習」領域の様々な領域にアクセスするための学習ナビゲーションメニュー７３０も含む。例えば、メニュー７３０内のボタンの各々は、要求されたコンテンツのタイプの１つ以上のページに案内してもよい。
【００９６】
図８は、薬剤装置追跡アプリケーションのための第３の例示のユーザインターフェース８００を示す。ユーザインターフェースは、ナビゲーションバー６１０上の「手引き」ボタンのハイライトによって示されるアプリケーションの「手引き」領域に対応してもよい。図示のように、重要な情報ペイン７２０がこのユーザインターフェース上にも表示される。また、ユーザインターフェース８００は、関連する薬剤装置の使用方法に関する情報を伝達するためのペイン８３０も含む。また、ペイン８３０は、ユーザに薬剤装置の投与を指導するための１つ以上の埋め込み映像８３５を含んでもよい。
【００９７】
図９は、薬剤装置追跡アプリケーションのための第４の例示のユーザインターフェース９００を示す。ユーザインターフェースは、ナビゲーションバー６１０上の「追跡」ボタンのハイライトによって示されるアプリケーションの「追跡」領域に対応してもよい。重要な情報ペイン７２０に加えて、ユーザインターフェース９００は、アプリケーションの異なる「追跡」機能に案内するボタン９３０、９３５を有するトップペインを含む。例えば、ペインは、アプリケーションに登録されている様々な患者のためにアレルゲン情報を検討し、更新し、且つ共有するための「アレルゲンプロファイル」ボタン９３０を含んでもよい。別の例示として、ペインは、アプリケーションに登録されている自己注射器タイプの薬剤装置の位置又は他の状態を決定するための「自己注射器を追跡する」ボタン９３５を含んでもよい。一部の実施形態では、患者プロファイル又は薬剤装置は、追跡が使用可能にされる前にアプリケーションに登録されている。
【００９８】
図１０は、薬剤装置追跡アプリケーションのための第５の例示のユーザインターフェース１０００を示す。ユーザインターフェース１０００は、アプリケーションに新しい患者プロファイルを登録するためのインターフェースであってもよい。図示のように、ユーザインターフェースは、プロファイル情報を入力するための様々なフィールドを提供する。
名前フィールド１０１０には、患者の名前が入る。プロファイルタイプフィールド１０２０には、登録されているプロファイルのタイプの識別が入る。例えば、一部の実施形態では、プロファイルタイプフィールド１０２０には、例えば、「自分」、「配偶者」、「子供」、「家族」、「友人」、又は「その他」等の一群の値からの選択が入る。アレルゲンフィールド１０３０には、プロファイルに関係付けられるアレルゲンのリストが入る。例えば、一部の実施形態では、プロファイルタイプフィールド１０２０には、例えば、「卵」、「魚」、「牛乳」、「ピーナツ」、「ミツバチ」、「スズメバチ」、「何らかのカミアリ」、「アスピリン」、「イブプロフェン」、「運動」、「ラテックス」、又は「他の致命的なアレルゲン」等の一群の値からの１つ以上のアイテムの選択が入る。リストに含まれる様々な追加のアレルゲンも当業者には明らかであろう。
【００９９】
連絡先フィールド１０４０には、１つ以上の緊急連絡先の選択が入る。このリストは、例えば、ユーザインターフェース６００上の「連絡先に通知する」ボタンの選択後等、アプリケーションが緊急連絡先と通信するために使用されるときに使用されてもよい。様々な実施形態において、ユーザは、名前及び電話番号を含む各連絡先をフィールド１０４０に手動で入力してもよい。一部の実施形態では、ユーザは、フィールド１０４０に含めるために、電話オペレーティングシステム又は他のアプリケーションの住所録又は他の連絡先リストによって提供される１つ以上の連絡先を選択してもよい。
【０１００】
自己注射器フィールド１０５０には、患者に処方され且つアプリケーションにより追跡される１つ以上の自己注射器を入れる。新しい自己注射器又は他の薬剤装置を登録するための例示のインターフェースが図１１を参照してより詳細に記載される。医療提供者フィールドには、医療提供者の１つ以上の識別を入れる。このリストは、例えば、ユーザが緊急性を示している間又は（例えば、別の薬剤装置の使用又は有効期限のために）ユーザが新しい薬剤装置の処方箋のための予約の希望を示すとき等、アプリケーションがこのような医療提供者に連絡するときに使用されてもよい。医療提供者情報１０６０が、手動で入力されるか又は電話オペレーティングシステム又は別のアプリケーションからインポートされてもよい。
【０１０１】
図１１は、薬剤装置追跡アプリケーションのための第６の例示のユーザインターフェース１１００を示す。ユーザインターフェース１１００は、アプリケーションにより追跡される新しい薬剤装置を登録するためのインターフェースであってもよい。位置フィールド１１１０には、薬剤装置の位置の指示を入れてもよい。位置情報を入力するための例示のインターフェースは、以下で図１２に関して記載される。ロット番号フィールド１１２０には、薬剤装置に関係付けられるロット番号の指示を入れてもよく、一方で有効期限フィールド１１３０には、薬剤装置に関係付けられる有効期限データの指示を入れてもよい。
有効期限リマインダボタン１１４０には、一般にはユーザが新しい薬剤装置のための有効期限イベントに関するリマインダを受信することを希望するかどうかの選択が入る。同様に、有効期限地理アラートボタン１１５０には、ユーザが近隣の薬剤装置に対する有効期限イベントに関するリマインダを受信することを希望するかどうかの選択が入る。例えば、様々な実施形態において、アプリケーションは、移動装置が有効期限が切れた又は有効期限が近付いている薬剤装置の位置から既定の距離（例えば、１マイル）内に有る場合はいつでも特別な「地理アラート」を提供してもよい。
【０１０２】
図示のように、インターフェース１１００には、手動入力された装置情報が入る。様々な代替的な実施形態において、類似のインターフェースが、薬剤装置又はその包装から直接的にインターフェース１１００に入力される情報の一部又は全てを読み取るための機能を活性化するためのボタンを提供してもよい。例えば、このようなボタンは、移動装置のカメラにユーザがＱＲコード又は情報を伝達する英数字の写真を撮らせてもよい。次に、画像データを復号（例えば、ＱＲ復号又は光学式文字認識）することで、インターフェースの一部又は全てを自動的に記入してもよい。別の例示として、ボタンが押されると、薬剤装置又はその包装上に配置されたタグとの近距離無線通信（例えば、ＲＦＩＤ、ＮＦＣ、ブルートゥース、ＷｉＦｉ等）でデジタル情報を抽出してもよい。次に、アプリケーションは、インターフェース１１００上の一部又は全てのフィールドを自動入力してもよい。
【０１０３】
アプリケーションが薬剤装置又はその包装と周期的に通信する等の様々な実施形態において、装置は、将来の通信が適切な装置と相関され得るように薬剤装置又は包装の一意のＩＤ又は他のＩＤを登録してもよい。この識別子は、移動装置により薬剤装置又は包装に割り当てられ又はそれから読み取られてもよい。
【０１０４】
図１２は、薬剤装置追跡アプリケーションのための第７の例示のユーザインターフェース１２００を示す。インターフェース１２００は、ユーザインターフェース１１００を介して登録される新しい薬剤装置に関する位置等、新しい位置を登録するためのインターフェースであってもよい。図示のように、ユーザインターフェース１２００は、登録される位置のテキスト名又は説明を入れるための位置名フィールド１２１０を含む。また、ユーザインターフェース１２００は、位置を定義するための複数の機能を含んでもよい。第１の方法として、ユーザは、住所フィールド１２２０に所在地住所を提示してもよい。所在地住所は、手動で入力されるか又は電話連絡先リストから若しくは別のアプリケーションからインポートされてもよい。住所を入力すると、地図領域１２３０は、識別位置の周囲の領域の地図を示すように更新されてもよい。
【０１０５】
代替的な方法として、ユーザは、地図上をタップすることで位置を選択してもよい。更なる代替手段として、ユーザは、「現在地を使用する」ボタンを押して、薬剤装置の位置として（例えば、移動装置のＧＰＳ機能によって報告される）移動装置自体の現在地を選択してもよい。
【０１０６】
また、様々な実施形態において、アプリケーションに入力される様々なプロファイル、薬剤装置及び位置情報は、１つ以上の薬剤装置のそれぞれのメモリ装置にダウンロードされてもよい。例えば、アプリケーションは、その特定の患者に対して登録された各薬剤装置に適切な名前、アレルゲン及び緊急連絡先情報を送信してもよい。このような通信は、例えば、ＮＦＣ、ＲＦＩＤ、ブルートゥース、ＷｉＦｉ又は他の通信プロトコルを介して無線で行われてもよい。
【０１０７】
図１３は、薬剤装置追跡アプリケーションのための第８の例示のユーザインターフェース１３００を示す。ユーザインターフェース１３００は、例えば、例示のインターフェース９００の「薬剤装置を追跡する」ボタン９３５の選択によってアクセスされ得る様々な登録薬剤装置の位置又は他の状態を追跡するためのインターフェースであってもよい。ユーザインターフェース１３００は、近隣の又はそれ以外の関連領域を示す地図１３２０を含む。また、地図１３２０は、各薬剤装置の位置を指定する１つ以上のマーカー１３２２、１３２４も含む。アラートアイコン１３２２は、例えば、有効期限イベント（例えば、過去の有効期限又は近い将来の予測有効期限）等の何らかのイベントが相関薬剤装置に関係付けられていることを伝達する。
【０１０８】
フィルタセレクタ１３３０が、１つ以上のプロファイル又はそのグループの選択を可能にする。プロファイル又はプロファイルのグループを選択すると、選択されたプロファイルに関係付けられていない任意の指示１３２２、１３２４がもはや地図１３２０上に表示されなくなる。薬剤装置リスト１３４０は、フィルタセレクタ１３３０によりフィルタリングされた追跡薬剤装置の概要を（関連位置又は任意の強調アラームと共に）提供する。
薬剤装置リスト１３４０は、その装置に専用の概要ページ又は例えば、ユーザインターフェース１１００に類似の薬剤装置編集ページにアクセスするためにユーザが薬剤装置を選択することを更に可能にしてもよい。
【０１０９】
ユーザインターフェース１３００は、上記の様々な機能を実装するために更に使用されてもよい。例えば、アプリケーションが薬剤装置の位置の周期的な更新を受信する場合、指示１３２２、１３２４の場所は、各薬剤装置について最新の受信位置データに対応するように更新されてもよい。別の例示として、アプリケーションが薬剤装置から薬剤使用の指示を受信する場合、指示１３２２、１３２４は、ユーザに薬剤装置の使用を知らせるアラートを含むように更新されてもよい。アラートは、使用された薬剤装置の現在地において、薬剤装置が活性化された位置において、薬剤装置に関係付けられる別の携帯電話又はアプリケーション（例えば、追跡されている薬剤装置がアプリケーションユーザの子供又は配偶者に処方されている場合に子供又は配偶者の携帯電話）の位置において、又は必要に応じて他の場所において地図上に配置されてもよい。追加的に又は代替的に、アプリケーションは、通知バー６０５等のオペレーティングシステム要素を介して、聴覚、視覚又は触覚アラートを出力してもよい。また、ユーザインターフェース１３００は、薬剤温度又は色情報等の情報を出力してもよい。
【０１１０】
別の例示として、地図１３２０又は装置リスト１３４０を介する期限が切れた又は期限が近付いている薬剤装置の選択は、ユーザが交換薬剤装置を注文し又は追加の処方箋を受け取るために関連する医療サービス提供者に予約を入れることを可能にしてもよい。代替的に、一部の実施形態では、アプリケーションは、有効期限イベントを識別すると、こうした機能を自動的に行ってもよい。一部の実施形態では、アプリケーションは、電話又はＥメール等の標準チャネルを介して、患者プロファイルに割り当てられた緊急連絡先に、又は緊急連絡先の移動装置上で実行されている類似のアプリケーションに薬剤装置活性化の任意の指示を転送してもよい。上記の機能を検討すれば様々な追加アプリケーションの実装も明らかであろう。
【０１１１】
図１４は、薬剤装置追跡アプリケーションのための第９の例示のユーザインターフェース１４００を示す。ユーザインターフェース１４００は、例えば、例示のインターフェース９００の「アレルゲンプロファイル」ボタン９３０の選択によってアクセスされるアレルゲンプロファイルを検討、共有及び編集するためのインターフェースであってもよい。
図示のように、ユーザインターフェースは、２つの異なる患者プロファイルに関係付けられるプロファイルボタン１４２０、１４３０を含む。ボタンの選択は、例えば、ユーザインターフェース１０００に類似のインターフェース等のプロファイル編集ページにユーザを案内してもよい。各プロファイルボタン１４２０、１４３０の下に、ユーザインターフェース１４００は、関連患者のアレルギーを示すアレルゲン概要アイコン１４２２、１４３２を含む。アイコン１４２２、１４３２の選択は、過去に入力された患者の特定のアレルギーのより詳細なリストにユーザを導いてもよい。共有ボタン１４２４、１４３４は、ユーザが、例えば、Ｅメール、電話等を介して、又は例えば、ＮＦＣ、ＲＦＩＤ、ブルートゥース、ＷｉＦｉ等を介して、異なる装置上で実行される類似のアプリケーションに直接的に、他の装置と関連する患者プロファイルを共有することを可能にする。連絡先ボタン１４２６、１４３６は、例えば、電話、Ｅメール、インスタントメッセージ等を介して患者に関して登録された１つ以上の緊急連絡先にユーザが連絡することを可能にしてもよい。最後に、アレルゲンプロファイル作成ボタン１４４０は、ユーザが、インターフェース１４００上での後の表示のために追加の患者プロファイルを作成することを可能にする。
【０１１２】
上記の通り、様々な例示の実施形態が薬剤を流通させるためのシステム及び方法を提供する。特に、薬剤保管ケースへのリモートアクセスを提供することによって、緊急の際に薬剤を患者に提供することができる。
【０１１３】
上記の説明から、本発明の様々な例示の実施形態がハードウェア及び／又はファームウェアで実装され得ることが明らかである。更に、様々な例示の実施形態は機械可読記憶媒体に記憶される命令として実装されてもよく、これは少なくとも１つプロセッサにより読み込まれ且つ実行されて、本明細書で詳細に記載された動作を行うことができる。機械可読記憶媒体は、パーソナル又はラップトップコンピュータ、サーバ、又は他のコンピュータ装置等の機械により読み込み可能な形態で情報を記憶するための任意の機構を含んでもよい。従って、機械可読記憶媒体は、リードオンリメモリ（ＲＯＭ）、ランダムアクセスメモリ（ＲＡＭ）、磁気ディスク記憶媒体、光学記憶媒体、フラッシュメモリ装置、又は類似の記憶媒体を含んでもよい。
【０１１４】
当業者には、本明細書に記載の任意のブロック図が本発明の原理を具現化する例示の回路の概念図を表すことが理解される。同様に、任意のフローチャート、フロー図、状態遷移図、疑似コード、及び同類は、実質的に機械可読媒体で表されて、コンピュータ又はプロセッサが明示されているかどうかに関わらず、このようなコンピュータ又はプロセッサにより実行され得る様々な処理を表すことが理解される。
【０１１５】
所定の例示の態様を具体的に参照して、様々な例示の実施形態が詳細に記載されているが、本発明は他の実施形態も可能であり、その詳細は様々な明らかな点で修正可能であることが理解される。当業者には容易に明らかであるが、本発明の精神及び範囲内でありながら変形及び修正を受けることができる。従って、先の開示、記載及び図面は、単なる例示であって、決して請求項のみによって定義される本発明を限定するものではない。
【図１】
2018198940.tif 000003
【図２】
2018198940.tif 000004
【図３】
2018198940.tif 000005
【図４】
2018198940.tif 000006
【図５】
2018198940.tif 000007
【図６】
2018198940.tif 000008
【図７】
2018198940.tif 000009
【図８】
2018198940.tif 000010
【図９】
2018198940.tif 000011
【図１０】
2018198940.tif 000012
【図１１】
2018198940.tif 000013
【図１２】
2018198940.tif 000014
【図１３】
2018198940.tif 000015
【図１４】
2018198940.tif 000016
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
薬剤装置を追跡する移動装置のユーザインターフェース上に情報を表示する方法であって、
少なくとも１つの機械可読記憶媒体と通信する少なくとも１つプロセッサを含む前記移動装置により実装されるときに、
前記移動装置の前記ユーザインターフェース上にアプリケーションナビゲーションバーを表示するステップであって、前記アプリケーションナビゲーションバーは手引きボタンを含むステップと、
前記移動装置のユーザから前記手引きボタンの選択を受信することに応じて、前記少なくとも１つの機械可読記憶媒体に記憶されている第１の情報にアクセスするステップと、
前記第１の情報に少なくとも部分的に基づいて前記ユーザインターフェース上に手引きペインを表示するステップであって、前記手引きペインは前記薬剤装置をどのように使用すべきかに関する情報を含むステップと
を含む、方法。
【請求項２】
前記薬剤装置をどのように使用すべきかに関する情報は、前記移動装置のユーザに前記薬剤装置の投与を指導する少なくとも１つの埋め込み映像を含む、請求項１に記載の方法。
【請求項３】
前記第１の情報にアクセスすることに応じて、前記薬剤装置に関する安全情報又は前記薬剤装置の投与に関する安全情報の少なくとも１つを含む情報ペインを前記ユーザインターフェース上に表示するステップを更に含む、請求項１に記載の方法。
【請求項４】
前記ユーザインターフェースの前記アプリケーションナビゲーションバーに追跡ボタンを表示するステップと、
前記移動装置のユーザから前記追跡ボタンの選択を受信することに応じて、前記少なくとも１つの機械可読記憶媒体に記憶されている第２の情報にアクセスするステップと、
前記第２の情報に少なくとも部分的に基づいて前記ユーザインターフェース上の追跡ペインを表示するステップであって、前記追跡ペインは前記移動装置のユーザにより選択可能な少なくとも１つボタンを含むステップと
を更に含み、
前記少なくとも１つボタンは、前記薬剤装置の状態を要求するための第１のボタンを含む、請求項１に記載の方法。
【請求項５】
前記薬剤装置の状態を要求することは、前記薬剤装置の位置情報を要求することを含む、請求項４に記載の方法。
【請求項６】
前記少なくとも１つボタンは、前記薬剤装置の１人以上のユーザに関するアレルゲン情報を検討、更新又は共有するためのメニューにアクセスする第２のボタンを含む、請求項４に記載の方法。
【請求項７】
前記移動装置のユーザから前記第１のボタンの選択を受信することに応じて、前記少なくとも１つの機械可読記憶媒体に記憶されている第３の情報にアクセスするステップと、
前記薬剤装置が位置している地理領域の地図を表示して、前記第３の情報に少なくとも部分的に基づいて、表示された地図上にマーカーを表示するステップであって、前記マーカーは前記薬剤装置の位置を示すステップと
を更に含む、請求項５に記載の方法。
【請求項８】
前記ユーザインターフェース上にフィルタセレクタを表示するステップであって、前記フィルタセレクタは前記移動装置のユーザが前記薬剤装置の１人以上のユーザに関係付けられる１つ以上のプロファイルを選択することを可能にするステップと、
前記移動装置のユーザから前記１つ以上のプロファイルの１つ以上の選択を受信することに応じて、前記ユーザインターフェース上に薬剤装置リストを表示するステップであって、前記薬剤装置リストは選択された１つ以上のプロファイルに関係付けられる追跡される薬剤装置の概要を含むステップと
を更に含む、請求項７に記載の方法。
【請求項９】
前記移動装置は、前記少なくとも１つの機械可読記憶媒体を含む、請求項１に記載の方法。
【請求項１０】
前記移動装置はサーバと無線通信するように構成され、前記サーバは前記少なくとも１つの機械可読記憶媒体を含む、請求項１に記載の方法。
【請求項１１】
実行されると移動装置のプロセッサに、
前記移動装置のユーザインターフェース上にアプリケーションナビゲーションバーを表示することであって、前記アプリケーションナビゲーションバーは手引きボタンを含むこと、
前記移動装置のユーザから前記手引きボタンの選択を受信することに応じて、少なくとも１つ機械可読記憶媒体に記憶されている第１の情報にアクセスすること、及び
前記第１の情報に少なくとも部分的に基づいて前記ユーザインターフェース上に手引きペインを表示することであって、前記手引きペインは薬剤装置をどのように使用すべきかに関する情報を含むこと
を行わせる命令が記憶されている、非一時的な機械可読記憶媒体。
【外国語明細書】
2018198940000001.pdf